(57)【特許請求の範囲】
【請求項１】
側壁に取付け孔が形成された支柱に、互いに格子状に組んだ横線材と縦線材とからなる格子パネルを取り付けるための金具において、
貫通孔が下部に形成された、前記支柱の前記側壁に密着するウエッブ、前記横線材が嵌め込まれる切込みが上端に形成されたフランジ、及び、前記フランジの前記切込み内に嵌め込まれた前記横線材を固定するための、前記ウエッブの下部を前記フランジ間に折り曲げることによって形成された、ボルト孔を有する押圧片からなるコ字形部材と、
前記支柱の前記取付け孔内に挿入される、外面に突起が形成されたくちばし状拡張片、及び、前記くちばし状拡張片の基部に形成された、前記押圧片の前記ボルト孔より大きく、且つ、前記ウエッブの前記貫通孔内に挿入可能なナットからなる結合部材と、
前記ウエッブの前記貫通孔内に挿入された前記結合部材の前記ナットに、前記押圧片の前記ボルト孔からねじ込まれ、かくして、前記支柱の前記取付け孔内に挿入された前記くちばし状拡張片を広げて、前記突起を前記取付け孔の裏面に係合させるためのボルトとからなることを特徴とする格子パネル取付け金具。
【発明の詳細な説明】
【０００１】
【発明の属する技術分野】
この発明は、格子パネル取付け金具、特に、支柱に簡単に格子パネルを取り付けることができる格子パネル取付け金具に関するものである。
【０００２】
【従来の技術】
従来、互いに格子状に組んだ横線材と縦線材とからなる格子パネルを角形支柱に取り付けるには、角形支柱の前後壁にボルト孔を形成し、このボルト孔内に挿通されるボルトによって、格子パネル取付け金具を固定することにより行うか、角形支柱の前壁にブラインドナットを予め組み込み、このブラインドナットにねじ込まれるボルトによって、格子パネル取付け金具を固定することにより行っていた。
【０００３】
【発明が解決しようとする課題】
しかしながら、上述した従来技術は、何れも、格子パネル取付け金具とこれを支柱に固定するためのボルトとが別々になっていたために、格子パネル取付け金具を支柱に取り付けるには、片手で格子パネル取付け金具を押さえ、もう一方の手でボルトを差し込み、締結する必要があったので、格子パネルの取付けに手間と時間を要していた。
【０００４】
従って、この発明の目的は、格子パネルを支柱に容易に取り付けることができる格子パネル取付け金具を提供することにある。
【０００５】
【課題を解決するための手段】
請求項１記載の発明は、側壁に取付け孔が形成された支柱に、互いに格子状に組んだ横線材と縦線材とからなる格子パネルを取り付けるための金具において、貫通孔が下部に形成された、前記支柱の前記側壁に密着するウエッブ、前記横線材が嵌め込まれる切込みが上端に形成されたフランジ、及び、前記フランジの前記切込み内に嵌め込まれた前記横線材を固定するための、前記ウエッブの下部を前記フランジ間に折り曲げることによって形成された、ボルト孔を有する押圧片からなるコ字形部材と、前記支柱の前記取付け孔内に挿入される、外面に突起が形成されたくちばし状拡張片、及び、前記くちばし状拡張片の基部に形成された、前記押圧片の前記ボルト孔より大きく、且つ、前記ウエッブの前記貫通孔内に挿入可能なナットからなる結合部材と、前記ウエッブの前記貫通孔内に挿入された前記結合部材の前記ナットに、前記押圧片の前記ボルト孔からねじ込まれ、かくして、前記支柱の前記取付け孔内に挿入された前記くちばし状拡張片を広げて、前記突起を前記取付け孔の裏面に係合させるためのボルトとからなることに特徴を有するものである。
【０００６】
【発明の実施の形態】
次に、この発明の格子パネル取付け金具の一実施態様を、図面を参照しながら説明する。
【０００７】
図１は、この発明の格子パネル取付け金具によって格子パネルを角形支柱に取り付けた状態を示す斜視図、図２は、この発明の格子パネル取付け金具におけるコ字形部材を示す正面図、図３は、この発明の格子パネル取付け金具におけるコ字形部材を示す平面図、図４は、この発明の格子パネル取付け金具におけるコ字形部材を示す側面図、図５は、この発明の格子パネル取付け金具におけるコ字形部材を示す底面図、図６は、この発明の格子パネル取付け金具におけるコ字形部材を示す背面図、図７は、この発明の格子パネル取付け金具の組立て側面図、図８は、この発明の格子パネル取付け金具における結合部材のくちばし状拡張片の拡張状態を示す平面図である。
【０００８】
図１から図８において、１は、１つの側壁に取付け孔１Ａ（図８参照）が形成された角形支柱、２は、角形支柱１に、この発明の格子パネル取付け金具Ａよって取り付けられた格子パネルであり、横線材２Ａと縦線材２Ｂとを互いに格子状に組んだものからなっている。なお、格子パネル２が取り付けられる支柱１は、円形支柱等であっても良い。
【０００９】
３は、コ字形部材であり、貫通孔４Ａが下部に形成された、角形支柱１の側壁に密着するウエッブ４と、横線材２Ａが嵌め込まれる切込み５Ａが上端に形成されたフランジ５と、フランジ５の切込み５Ａ内に嵌め込まれた横線材２Ａを固定するための押圧片６とからなっている。切込み５Ａの上部幅は、下部幅より狭く形成され、これによって、格子パネル２の横線材２Ａが切込み５Ａから抜け出にくくなっている。押圧片６は、ウエッブ４の下部をフランジ５間に折り曲げることによって形成されており、後述するボルトが挿入される長孔状ボルト孔６Ａが形成されている。押圧片６は、スプリング作用によって前記ボルトを締める前の状態においては、ウエッブ４から離れる方向に開いている。押圧片６の上部は、横線材２Ａを固定し易いように円弧状に湾曲している。
【００１０】
７は、コ字形部材３を角形支柱１の側壁に固定するための結合部材であり、角形支柱１の取付け孔１Ａ内に挿入される、外面に突起８Ａが形成されたくちばし状拡張片８と、くちばし状拡張片８の基部に形成された、コ字形部材３のウエッブ４の貫通孔４Ａ内に挿入可能なナット９とからなっている。ナット９は、押圧片６のボルト孔６Ａの幅より大きく形成されている。従って、前記ボルトを押圧片６のボルト孔６Ａから挿入しナット９にねじ込むと、結合部材７は、コ字形部材３から外れない。
【００１１】
１０は、くちばし状拡張片８を拡張するためのボルトである。このボルト１０は、ウエッブ４の貫通孔４Ａ内に挿入されたナット９に、押圧片６のボルト孔６Ａからねじ込まれ、かくして、角形支柱１の取付け孔１Ａ内に挿入されたくちばし状拡張片８を広げて、突起８Ａを取付け孔１Ａの裏面に係合させるものである。即ち、突起８Ａを角形支柱１の側壁の裏面に当接させて、コ字形部材３を角形支柱１の側壁に固定するものである。
【００１２】
このように構成されている、この発明の格子パネル取付け金具によれば、次のようにして角形支柱１に格子パネル２が取り付けられる。
コ字形部材３の貫通孔４Ａ内に結合部材７のナット９を、くちばし状拡張片８をウエッブ４から突出させた状態で挿入し、ボルト１０を押圧片６のボルト孔６Ａからナット９に予めねじ込んでおく。これによって、コ字形部材３、結合部材７及びボルト１０は、互いに外れず一体化する。次に、くちばし状拡張片８を角形支柱１の取付け孔１Ａ内に挿入する。くちばし状拡張片８には、突起８Ａが形成されているので、コ字形部材３は、角形支柱１の取付け孔１Ａから落下しにくい。
【００１３】
次に、コ字形部材３を押さえながら、格子パネル２の横線材２Ａをコ字形部材３の切込み５Ａ内に入れる。そして、ボルト１０を締める。これによって、コ字形部材３の押圧片６が閉じて横線材２Ａがコ字形部材３に固定される。これと同時に、くちばし状拡張片８が両側に押し広げられることによって、突起８Ａが角形支柱１の取付け孔１Ａの裏面に係合すると共に、結合部材７が手前に引き寄せられるので、コ字形部材３は、格子パネル２と共に角形支柱１に強固に固定される。
【００１４】
【発明の効果】
以上説明したように、この発明によれば、コ字形部材、結合部材及びボルトを、互いに外れないように一体化することによって、格子パネルの支柱への固定が簡単に行えるといった有用な効果がもたらされる。
【図面の簡単な説明】
【図１】この発明の格子パネル取付け金具によって格子パネルを角形支柱に取り付けた状態を示す斜視図である。
【図２】この発明の格子パネル取付け金具におけるコ字形部材を示す正面図である。
【図３】この発明の格子パネル取付け金具におけるコ字形部材を示す平面図である。
【図４】この発明の格子パネル取付け金具におけるコ字形部材を示す側面図である。
【図５】この発明の格子パネル取付け金具におけるコ字形部材を示す底面図である。
【図６】この発明の格子パネル取付け金具におけるコ字形部材を示す背面図である。
【図７】この発明の格子パネル取付け金具の組立て側面図である。
【図８】この発明の格子パネル取付け金具における結合部材のくちばし状拡張片の拡張状態を示す平面図である。
【符号の説明】
１：支柱
１Ａ：取付け孔
２：格子パネル
２Ａ：横線材
２Ｂ：縦線材
３：コ字形部材
４：ウエッブ
４Ａ：貫通孔
５：フランジ
５Ａ：切込み
６：押圧片
６Ａ：ボルト孔
７：結合部材
８：くちばし状拡張片
８Ａ：突起
９：ナット
１０：ボルト
【図１】
0003723300.tif 000002
【図２】
0003723300.tif 000003
【図３】
0003723300.tif 000004
【図４】
0003723300.tif 000005
【図５】
0003723300.tif 000006
【図６】
0003723300.tif 000007
【図７】
0003723300.tif 000008
【図８】
0003723300.tif 000009